(57)【特許請求の範囲】
【請求項１】
被検出体の接触子を接離させる接点ばね部材として、絶縁ケースに組み込まれ固定ピンにて保持される巻回部と、この巻回部の一端から延伸して被検出体に当接すると押し撓められる弾性可動部と、前記巻回部の他端から延伸して外部回路に接続される端子部とを備えた捩りコイルばねを用いる接点構造であって、前記弾性可動部の先端部分に、押し撓められる方向に対し先端側を横向きに折り曲げたフック部を設けるとともに、前記絶縁ケースのうち前記フック部の内側かつ近傍となる個所に、このフック部と常時対向する規制壁を設けたことを特徴とする接点構造。
【請求項２】
請求項１の記載において、前記絶縁ケースに、前記フック部に弾接してその初期位置を規定する第１の係止部と、前記端子部に弾接してその取付位置を規定する第２の係止部とを設けたことを特徴とする接点構造。
【発明の詳細な説明】
【０００１】
【発明の属する技術分野】
本発明は、捩りコイルばねからなる接点ばね部材を被検出体に弾接させることで電気信号を取り出す接点構造に係り、例えば、被検出体であるデジタルビデオカセットの装填時にカセット識別情報などを取り出すためにデジタルビデオ記録再生装置に配備される接点構造に関する。
【０００２】
【従来の技術】
デジタルビデオ記録再生装置には、そこに装填されるデジタルビデオカセットのカセット識別情報等の電気信号を取り出すために、捩りコイルばねからなる接点ばね部材を複数個（例えば４個）並設して構成される検出用接点ユニットが組み込まれており、その接点ばね部材を装填時のデジタルビデオカセットの金属露出部分（接触子）に弾接させることにより、このビデオカセットから電気信号が取り出せるようになっている。
【０００３】
かかる接点ユニットにおいては、通常、接点ばね部材として、図５に符号１０で示すような形状の捩りコイルばねが使用されており、その巻回部１１が固定ピン（図示せず）を介して絶縁ケース１５に固定されている。また、この巻回部１１の一端から延伸する可動部分を、デジタルビデオカセットＣ（被検出体）に当接すると押し撓められる弾性可動部１２となし、かつ巻回部１１の他端から突出する短寸部分を、外部検出回路に接続される端子部１３となしている。さらに、この接点ばね部材１０は、弾性可動部１２の先端部分がＶ字状に折曲加工された引っ掛け部１２ａとなっていて、ビデオカセットＣが装填されていないとき、この引っ掛け部１２ａが絶縁ケース１５の上部壁１５ａに弾接して位置規制されるようになっている。さらにまた、この弾性可動部１２の中間部分は、山形状に折曲加工されてビデオカセットＣの進入路に配置される接点部１２ｂとなっていて、ビデオカセットＣが装填されるとこの接点部１２ｂが、該カセットＣの筐体部分の底面に設けられている前記接触子に弾接して図示下方へ押し込まれるので、所望の接点圧が得られるようになっている。
【０００４】
このような接点ばね部材１０を使用して構成される従来の接点ユニットは、巻回部１１を直列状に４個並べて絶縁ケース１５内の所定個所に搭載した後、これらの巻回部１１に貫通させた前記固定ピンと絶縁ケース１５とで各巻回部１１を挟みつけて位置決め・固定することにより組み立てられ、その結果、各接点ばね部材１０の弾性可動部１２をそれぞれ独立に弾性変形させることが可能となる。また、かかる従来の接点ユニットを実装する際には、絶縁ケース１５をプリント基板（図示せず）上に載置した状態で、各接点ばね部材１０の端子部１３を外部検出回路にはんだ付けする。そして、プリント基板上に実装した接点ユニットは、デジタルビデオ記録再生装置内において、ビデオカセットＣの進入路を望む位置に組み込まれる。これにより、記録再生装置内へビデオカセットＣが挿入されていくと、該カセットＣの底面に設けられている前記接触子が、いずれかの接点ばね部材１０の弾性可動部１２に当接してこれを押し撓めながら接点部１２ｂに対し摺動していくので、その接点ばね部材１０の端子部１３から該カセットＣに関する各種の電気信号を取り出すことができる。
【０００５】
【発明が解決しようとする課題】
ところで、上述した従来の接点ユニットにおいては、記録再生装置内へデジタルビデオカセットＣが挿入されて接点ばね部材１０の弾性可動部１２が押し撓められると、前記引っ掛け部１２ａが絶縁ケース１５の前記上部壁１５ａから外れて弾性可動部１２がフリーな状態になるので、該カセットＣが記録再生装置内から抜き取られるときに発生する摩擦力などの外力により、弾性可動部１２の前記接点部１２ｂが不所望に折れ曲がってしまう塑性変形を起こす可能性があった。そして、弾性可動部１２にこのような塑性変形が起こると、ビデオカセットＣが抜き取られて弾性可動部１２が自身の弾発力で初期位置へ戻ろうとしても、図５に鎖線で示すように引っ掛け部１２ａが上部壁１５ａに正しく掛止されなくなって、接点部１２ｂの初期位置が極端にずれてしまうので、この接点ばね部材１０では正確な検出が行えなくなってしまい、それゆえ接点ユニット自体の信頼性が著しく損なわれることとなる。
【０００６】
また、従来のこの種の接点ユニットを組み立てるとき、前記巻回部１１に前記固定ピンを貫通させるまでは各接点ばね部材１０が絶縁ケース１５に固定されていないので、この固定ピンを絶縁ケース１５に組み付ける際には、各接点ばね部材１０に位置ずれや脱落が起こらないように注意しながら慎重に作業を行わねばならない。そのため、絶縁ケース１５に複数の接点ばね部材１０を正しく位置決めして固定するという組立作業は容易でなく、組立性の向上が望まれていた。
【０００７】
【課題を解決するための手段】
本発明は、接点ばね部材の弾性可動部の先端部分を常に絶縁ケースの壁面で位置規制できるようにして、この弾性可動部の塑性変形に起因する動作不良が防止できるようにした。また、本発明では、弾性可動部のみならず端子部も絶縁ケースに弾接させることで、固定ピンを組み込む前に接点ばね部材が絶縁ケースに仮固定できるようにして組立性を向上させた。
【０００８】
【発明の実施の形態】
本発明の接点構造では、被検出体の接触子を接離させる接点ばね部材として、絶縁ケースに組み込まれ固定ピンにて保持される巻回部と、この巻回部の一端から延伸して被検出体に当接すると押し撓められる弾性可動部と、前記巻回部の他端から延伸して外部回路に接続される端子部とを備えた捩りコイルばねを用いる接点構造において、前記弾性可動部の先端部分に、押し撓められる方向に対し先端側を横向きに折り曲げたフック部を設けるとともに、前記絶縁ケースのうち前記フック部の内側かつ近傍となる個所に、このフック部と常時対向する規制壁を設ける構成とした。
【０００９】
このような接点構造は、被検出体との摩擦などにより接点ばね部材の弾性可動部に対し座屈方向へ強い外力が作用したとしても、この弾性可動部の先端部分に設けたフック部が絶縁ケースの規制壁に当接して位置規制されるので、弾性可動部に不所望な塑性変形が起こりにくくなり、よって弾性可動部が動作不良を起こしにくくなる。
【００１０】
また、かかる構成に加えて、絶縁ケースに、前記フック部に弾接してその初期位置を規定する第１の係止部と、前記端子部に弾接してその取付位置を規定する第２の係止部とを設ける構成にすれば、前記巻回部を保持するための前記固定ピンを組み込む前に、接点ばね部材を絶縁ケースに仮固定することができるので、複数の接点ばね部材を絶縁ケースに組み込む場合でも組立性は良好となる。
【００１１】
【実施例】
実施例について図面を参照して説明すると、図１は本発明の一実施例に係る接点ユニットの斜視図、図２は図１に示す接点ユニットの平面図、図３は図１，２に示す接点ユニットの正面図、図４は図１〜３に示す接点ユニットの側面図である。
【００１２】
これらの図に示す接点ユニットは、装填されるデジタルビデオカセットのカセット識別情報等の電気信号を取り出すメモリーインスイッチとして、デジタルビデオ記録再生装置に配備されるものである。かかる接点ユニットは、外形形状を規定する成形品で後述する各部品の支持ベースとなる絶縁ケース１と、この絶縁ケース１に４個並べて組み込まれた捩りコイルばねからなる接点ばね部材２と、これらの接点ばね部材２の直線状に並ぶ４個の巻回部２１を貫通して一括保持する固定ピン３と、装填されるデジタルビデオカセットの誤消去防止窓の開閉を検出するために絶縁ケース１に組み込まれた誤消去防止検出スイッチ４とによって主に構成されている。
【００１３】
前記接点ばね部材２は、絶縁ケース１と固定ピン３とに挟みつけられた状態で固定される巻回部２１と、この巻回部２１の一端から延伸してデジタルビデオカセット（被検出体）に当接すると押し撓められる弾性可動部２２と、巻回部２１の他端から延伸して外部回路に接続される端子部２３とを備えた所定形状の捩りコイルばねからなり、弾性可動部２２の先端部分には、押し撓められる方向に対し先端側を横向きに折り曲げたフック部２２ａが設けてある。また、弾性可動部２２の中間部分には、山形状に折曲加工されてビデオカセットの進入路に配置される接点部２２ｂが設けてあり、ビデオカセットが装填されるとこの接点部２２ｂが、該カセットの筐体部分の底面に設けられている接触子に弾接して図４の下方へ押し込まれるので、所望の接点圧が得られるようになっている。
【００１４】
一方、前記絶縁ケース１には、前記弾性可動部２２のフック部２２ａの内側かつ近傍となる個所、つまりフック部２２ａの先端側（横向き部分）を覆い隠す個所に、このフック部２２ａと常時対向する規制壁１ａが設けてある。また、この絶縁ケース１には、規制壁１ａと隣接する個所に、フック部２２ａの基端側が挿通されるスリット１ｂと、このスリット１ｂに連通して組立時にフック部２２ａの先端側を規制壁１ａの裏側へ差し込む際に利用される切欠き１ｃとが設けてあり、スリット１ｂの上端面が、フック部２２ａに弾接してその初期位置を規定する係止面１ｄとなっている。さらに、この絶縁ケース１の底部には、前記端子部２３に弾接してその取付位置を規定するための係止片１ｅが設けてある。なお、図中の符号５は、装填されたビデオカセットを位置決めするための位置決めピンである。
【００１５】
このような接点ユニットの組立工程で接点ばね部材２を絶縁ケース１に組み付ける際には、まず、弾性可動部２２のフック部２２ａを絶縁ケース１の切欠き１ｃへ差し込むことにより、このフック部２２ａの基端側をスリット１ｂ内へ挿入させて先端側を規制壁１ａの裏面に対向させる。次いで、端子部２３を絶縁ケース１の係止片１ｅ近傍へ向けて差し込むとともに、巻回部２１を絶縁ケース１内の所定個所に配置させる。このとき、捩りコイルばねからなる接点ばね部材２は若干撓めた状態で絶縁ケース１に組み込まれるので、フック部２２ａが絶縁ケース１の係止面１ｄに弾接してその初期位置が規定されるとともに、端子部２３が絶縁ケース１の係止片１ｅに弾接してその取付位置が規定されることになる。それゆえ、巻回部２１を保持するための固定ピン３を組み込む前に、接点ばね部材２を絶縁ケース１に仮固定することができる。
【００１６】
こうして接点ばね部材２が絶縁ケース１に仮固定できると、接点ばね部材２の姿勢を安定させたまま固定ピン３を組み付けることができるので、組立時の作業性が良好となる。すなわち、同様の手順で４個の接点ばね部材２を絶縁ケース１に仮固定しておけば、安定した姿勢で直列状に並ぶ４個の巻回部２１に固定ピン３を貫通させるだけで各接点ばね部材２の本固定が行え、各接点ばね部材２の位置ずれや脱落を特に気にする必要がなくなるので、組立性が大幅に向上する。そして、固定ピン３と絶縁ケース１とで巻回部２１を挟みつけるという本固定を行うことにより、各接点ばね部材２の弾性可動部２２がそれぞれ独立に弾性変形可能となる。
【００１７】
また、このような接点ユニットを実装する際には、絶縁ケース１をプリント基板（図示せず）上に載置した状態で、各接点ばね部材２の端子部２３を外部検出回路にはんだ付けする。そして、プリント基板上に実装した接点ユニットは、デジタルビデオ記録再生装置内において、デジタルビデオカセット（被検出体）の進入路を望む位置に組み込まれる。これにより、記録再生装置内へビデオカセットが挿入されていくと、該カセットの底面に設けられている前記接触子が、いずれかの接点ばね部材２の弾性可動部２２に当接してこれを押し撓めながら接点部２２ｂに対し摺動していくので、その接点ばね部材２の端子部２３から該カセットに関する各種の電気信号を取り出すことができる。
【００１８】
そして、上述した接点ユニットは、ビデオカセットが記録再生装置内から抜き取られるときに発生する摩擦力などの外力により、接点ばね部材２の弾性可動部２２に対し座屈方向へ強い外力が作用した場合にも、この弾性可動部２２の先端部分に設けたフック部２２ａが絶縁ケース１の規制壁１ａに当接して位置規制されるようになっており、また、絶縁ケース１のスリット１ｂに案内される弾性可動部２２は横ぶれが規制されているので、フック部２２ａが規制壁１ａから外れる虞はない。したがって、かかる外力により弾性可動部２２が不所望な塑性変形を起こす可能性は極めて低い。つまり、上述した接点ユニットは、接点部２２ｂの初期位置が大きくずれて検出に支障をきたすというような、塑性変形に起因する弾性可動部２２の動作不良が起こりにくい構造になっており、信頼性が高まっている。
【００１９】
【発明の効果】
本発明は以上説明したような形態で実施され、以下に記載されるような効果を奏する。
【００２０】
被検出体との摩擦などにより接点ばね部材の弾性可動部に対し座屈方向へ強い外力が作用したとしても、この弾性可動部の先端部分に設けたフック部が絶縁ケースの規制壁に当接して位置規制されるので、弾性可動部に不所望な塑性変形が起こりにくくなる。そのため、弾性可動部の塑性変形に起因する動作不良が防止できて、信頼性が向上する。
【００２１】
また、捩りコイルばねからなる接点ばね部材が、その弾性可動部と端子部を絶縁ケースに弾接させた状態で組み込めるように構成しておけば、固定ピンを組み込む前に接点ばね部材を絶縁ケースに仮固定することができるので、複数の接点ばね部材を絶縁ケースに組み込む場合でも組立性は良好となる。
【図面の簡単な説明】
【図１】本発明の一実施例に係る接点ユニットの斜視図である。
【図２】図１に示す接点ユニットの平面図である。
【図３】図１，２に示す接点ユニットの正面図である。
【図４】図１〜３に示す接点ユニットの側面図である。
【図５】従来技術の要部を示す説明図である。
【符号の説明】
１  絶縁ケース
１ａ  規制壁
１ｂ  スリット
１ｃ  切欠き
１ｄ  係止面（第１の係止部）
１ｅ  係止片（第２の係止部）
２  接点ばね部材
３  固定ピン
４  誤消去防止検出スイッチ
２１  巻回部
２２  弾性可動部
２２ａ  フック部
２２ｂ  接点部
２３  端子部
【図１】
0003668595.tif 000002
【図２】
0003668595.tif 000003
【図３】
0003668595.tif 000004
【図４】
0003668595.tif 000005
【図５】
0003668595.tif 000006